(57)【要約】【課題】従来の限定受信システムにおけるチャンネル単位あるいは番組単位での視聴制御に対して、１つの番組を構成する要素（データエレメント）単位での独立した視聴制御を実現する。【解決手段】各受信機が視聴してもよいデータエレメント（ＥＳ）またはその集合を視聴許可ＥＳリストとしてＫｗとともにＥＭＭで伝送し、また各ＥＳの暗号化を解く鍵であるＫｓを伝送する際に、前記視聴許可ＥＳリストにおける各ＥＳの識別を示すＥＳ識別情報をＫｓとともにＥＣＭで伝送することにより、ＥＳ単位での視聴制御を実現する。【選択図】  図１
2004357171.tif 000002
【特許請求の範囲】
【請求項１】
トランスポートストリーム（ＴＳ）パケット構成の複数のデータエレメント（ＥＳ）からなるプログラムデータを多重化して伝送するデータ送信装置において、
ＥＳを暗号化する第１の暗号化に必要となるスクランブル鍵（Ｋｓ）を生成するＫｓ生成手段と、
前記Ｋｓおよび各ＥＳの識別を伝送する共通ＣＡ関連情報（ＥＣＭ）生成手段と、
前記ＥＣＭを暗号化する第２の暗号化に必要となるワーク鍵（Ｋｗ）を生成するＫｗ生成手段と、
前記Ｋｗおよび視聴許可されたＥＳを各視聴者（受信機）毎に伝送する個別ＣＡ関連情報（ＥＭＭ）生成手段と、
ＥＭＭを搬送するＴＳの識別子（ＰＩＤ）とＥＳ毎にＥＣＭを搬送するＰＩＤを指示するプログラムマップテーブル（ＰＭＴ）生成手段と、
を備えることを特徴とするデータ送信装置。
【請求項２】
前記個別ＣＡ関連情報（ＥＭＭ）生成手段において、前記視聴許可されたＥＳは集合化されることを特徴とする、請求項１記載のデータ送信装置。
【請求項３】
前記Ｋｗ生成手段は、前記ＥＣＭを暗号化する第２の暗号化に必要となるＫｗとして、プログラムを構成する複数のＥＳで共通なＫｗを生成するＫｗ生成手段であることを特徴とする請求項１または２記載のデータ送信装置。
【請求項４】
前記Ｋｗ生成手段は、定期的に使用するＫｗを更新するＫｗ生成手段であることを特徴とする請求項１〜３のいずれか一項に記載のデータ送信装置。
【請求項５】
多重化されたトランスポートストリーム（ＴＳ）パケット構成の複数のデータエレメント（ＥＳ）からなるプログラムデータをデマルチプレクスして復号するデータ受信装置において、
前記ＰＭＴを用いて受信すべきプログラムデータ、ＥＭＭおよびＥＣＭを取得する分離手段と、
各受信機が予め保持するマスタ鍵（Ｋｍ）を用いてＥＭＭの暗号化部を復号し、Ｋｗと視聴許可されたＥＳを取得して保持するＫｗ復号手段と、
前記復号したＫｗを用いてＥＣＭの暗号化部を復号し、ＫｓとＥＳの識別情報を取得して保持するＫｓ復号手段と、
前記視聴許可されたＥＳと前記ＥＳの識別情報を相互照合し、視聴してもよいＥＳを判定する視聴許可判定手段と、
を備えるデータ受信装置。
【請求項６】
請求項１〜４のいずれか一項に記載のデータ送信装置と請求項５記載のデータ受信装置で構成される限定受信システム。
【請求項７】
トランスポートストリーム（ＴＳ）パケット構成の複数のデータエレメント（ＥＳ）からなるプログラムデータを多重化して伝送するデータ送信装置において、
ＥＳを暗号化する第１の暗号化に必要となるスクランブル鍵（Ｋｓ）を生成するＫｓ生成ステップと、
前記Ｋｓおよび各ＥＳの識別を伝送する共通ＣＡ関連情報（ＥＣＭ）生成ステップと、
前記ＥＣＭを暗号化する第２の暗号化に必要となるワーク鍵（Ｋｗ）を生成するＫｗ生成ステップと、
前記Ｋｗおよび視聴許可されたＥＳを各視聴者（受信機）毎に伝送する個別ＣＡ関連情報（ＥＭＭ）生成ステップと、
ＥＭＭを搬送するＴＳの識別子（ＰＩＤ）とＥＳ毎にＥＣＭを搬送するＰＩＤを指示するプログラムマップテーブル（ＰＭＴ）生成ステップと、
を処理することを特徴とするデータ送信方法。
【請求項８】
前記個別ＣＡ関連情報（ＥＭＭ）生成ステップにおいて、前記視聴許可されたＥＳは集合化されることを特徴とする、請求項７記載のデータ送信方法。
【請求項９】
前記Ｋｗ生成ステップは、前記ＥＣＭを暗号化する第２の暗号化に必要となるＫｗとして、プログラムを構成する複数のＥＳで共通なＫｗを生成するＫｗ生成ステップであることを特徴とする請求項７または８記載のデータ送信方法。
【請求項１０】
前記Ｋｗ生成ステップは、定期的に使用するＫｗを更新するＫｗ生成ステップであることを特徴とする請求項７〜９のいずれか一項に記載のデータ送信方法。
【請求項１１】
多重化されたトランスポートストリーム（ＴＳ）パケット構成の複数のデータエレメント（ＥＳ）からなるプログラムデータをデマルチプレクスして復号するデータ受信装置において、
前記ＰＭＴを用いて受信すべきプログラムデータ、ＥＭＭおよびＥＣＭを取得する分離ステップと、
各受信機が予め保持するマスタ鍵（Ｋｍ）を用いてＥＭＭの暗号化部を復号し、Ｋｗと視聴許可されたＥＳを取得して保持するＫｗ復号ステップと、
前記復号したＫｗを用いてＥＣＭの暗号化部を復号し、ＫｓとＥＳの識別情報を取得して保持するＫｓ復号ステップと、
前記視聴許可されたＥＳと前記ＥＳの識別情報を相互照合し、視聴してもよいＥＳを判定する視聴許可判定ステップと、
を処理することを特徴とするデータ受信方法。
【請求項１２】
請求項７〜１０のいずれか一項に記載のデータ送信方法を実行するためのプログラム。
【請求項１３】
請求項１１に記載のデータ受信方法を実行するためのプログラム。
【請求項１４】
請求項１２または１３記載のプログラムを記録した記録媒体。
【発明の詳細な説明】
【０００１】
【発明の属する技術分野】
本発明は、圧縮符号化されたビデオデータおよびオーディオデータ等を暗号化し、多重化して伝送するデジタル放送システムに関し、より特定的には、１つのプログラムを構成する複数のデータエレメントのうち、１つまたは複数のデータエレメント毎に異なる視聴制御をかけることを可能とするデータ送信装置、データ受信装置および限定受信システムに関する。
【０００２】
【従来の技術】
近年、ＭＰＥＧ２を用いてビデオデータやオーディオデータ等を圧縮符号化し、その符号化されたストリームを地上波や衛星波を利用して伝送するデジタル放送システムが提案されている。このデジタル放送システムは、符号化されたビデオストリームおよび符号化されたオーディオストリーム等のエレメンタリストリーム（ＥＳ）から構成される複数のプログラムについて、各プログラムのＥＳを所定バイト単位で分割し、その分割された各データの先頭にヘッダを加えることにより複数のトランスポートストリーム（ＴＳ）パケットを生成する。そしてこのＴＳパケットを多重化し、地上波や衛星波を利用して送信する。この際、伝送するデータストリーム内の情報の秘匿性を確保し、受信契約を持つ視聴者のみが視聴できる仕組みが必要であり、この視聴制御を実現する仕組みが限定受信（Ｃｏｎｄｉｔｉｏｎａｌ  Ａｃｃｅｓｓ：ＣＡ）システムである。
【０００３】
従来の限定受信システムについて図６を用いて説明する。放送局等の送信側６１０では、データ入力に対してデータ暗号化部６１１で暗号化鍵となるスクランブル鍵（Ｋｓ）を用いて暗号化処理を施し、暗号化データを多重部６１２に供給する。また、送信側６１０では、Ｋｓ暗号化部６１３でＫｓにワーク鍵（Ｋｗ）を用いて暗号化処理を施し、その暗号化出力を、共通ＣＡ関連情報（Ｅｎｔｉｔｌｅｍｅｎｔ  Ｃｏｎｔｒｏｌ  Ｍｅｓｓａｇｅ：ＥＣＭ）として多重部６１２に供給する。また、Ｋｗ暗号化部６１４でマスタ鍵（Ｋｍ）を用いてＫｗに暗号化処理を施し、その暗号化出力を、個別ＣＡ関連情報（ＥｎｔｉｔｌｅｍｅｎｔＭａｎａｇｅｍｅｎｅｔ  Ｍｅｓｓａｇｅ：ＥＭＭ）として多重部６１２に供給する。多重部６１２では、前記暗号化処理データと前記ＥＣＭと前記ＥＭＭを多重する。この多重化出力は、デジタル回線により受信側６２０に伝送される。
【０００４】
受信側６２０では、デジタル回線により伝送されてきた前記多重化出力を分離部６２１でＥＭＭ、ＥＣＭおよび暗号化データに分離する。分離部６２１で分離されたＥＭＭは、Ｋｗ復号化部６２２に供給される。Ｋｗ復号化部６２２には、例えばＲＯＭに記憶されたＫｍが与えられ、前記ＥＭＭからＫｗを取得する。このＫｗは、分離部６２１からＥＣＭが与えられるＫｓ復号化部６２３に供給される。Ｋｓ復号化部６２３は、Ｋｗを使って前記ＥＣＭからＫｓを取得する。このＫｓはデータ復号化部６２４に与えられる。データ復号化部６２４は、分離部６２１で分離された前記暗号化データに前記Ｋｓを用いてデスクランブル処理を施し、送信側６１０にて暗号化されたデータを復号化して出力する。
【０００５】
先行技術として、以下の特許文献１がある。特許第２９４０６３９号公報では、ＭＰＥＧ２−ＳＹＳＴＥＭＳ標準規格における条件付きアクセスの伝送方法として、ＥＣＭおよびＥＭＭを用いた暗号化関連情報の伝送とデコーダにおける解読方法を説明している。
【０００６】
【特許文献１】
特許第２９４０６３９号公報
【０００７】
【発明が解決しようとする課題】
このような従来のＣＡシステムでは、例えばチャンネル毎に異なるＫｗを用いてチャンネル単位の視聴契約を行ったり、あるいは、プログラム毎に異なるＫｗを用いて、視聴した番組毎に課金するペイパービュー（Ｐａｙ  Ｐｅｒ  Ｖｉｅｗ：ＰＰＶ）等の視聴制御を実現してきた。つまり、従来のＣＡシステムでは、１つのプログラムを構成する複数のＥＳに対して常に一括した視聴制御のみが可能であり、例えばビデオデータと主音声データのみを視聴許可するといったような、プログラムを構成するＥＳ単位での細かな視聴制御を行うことはできなかった。本発明は、こうした従来の問題点を鑑みてなされた発明であり、視聴者がプログラムを構成するデータエレメントのうち必要なデータエレメントのみを受信できる、つまり、データエレメント毎にスクランブルをかけることができる限定受信システムを得ることを目的としている。
【０００８】
【課題を解決するための手段】
上記課題を解決するために、本発明は、トランスポートストリーム（ＴＳ）パケット構成の複数のデータエレメント（ＥＳ）からなるプログラムデータを多重化して伝送するデータ送信装置において、ＥＳを暗号化する第１の暗号化に必要となるスクランブル鍵（Ｋｓ）を生成するＫｓ生成手段と、前記Ｋｓおよび各ＥＳの識別を伝送する共通ＣＡ関連情報（ＥＣＭ）生成手段と、前記ＥＣＭを暗号化する第２の暗号化に必要となるワーク鍵（Ｋｗ）を生成するＫｗ生成手段と、前記Ｋｗおよび視聴許可されたＥＳを各視聴者（受信機）毎に伝送する個別ＣＡ関連情報（ＥＭＭ）生成手段と、ＥＭＭを搬送するＴＳの識別子（ＰＩＤ）とＥＳ毎にＥＣＭを搬送するＰＩＤを指示するプログラムマップテーブル（ＰＭＴ）生成手段と、を備えることを特徴とするデータ送信装置を提供する。
【０００９】
本発明の一実施態様では、前記個別ＣＡ関連情報（ＥＭＭ）生成手段において、前記視聴許可されたＥＳは集合化される。
【００１０】
本発明の一実施態様において、前記Ｋｗ生成手段は、前記ＥＣＭを暗号化する第２の暗号化に必要となるＫｗとして、プログラムを構成する複数のＥＳで共通なＫｗを生成するＫｗ生成手段である。
【００１１】
本発明の一実施態様において、前記Ｋｗ生成手段は、定期的に使用するＫｗを更新するＫｗ生成手段である。
【００１２】
本発明はまた、多重化されたトランスポートストリーム（ＴＳ）パケット構成の複数のデータエレメント（ＥＳ）からなるプログラムデータをデマルチプレクスして復号するデータ受信装置において、前記ＰＭＴを用いて受信すべきプログラムデータ、ＥＭＭおよびＥＣＭを取得する分離手段と、各受信機が予め保持するマスタ鍵（Ｋｍ）を用いてＥＭＭの暗号化部を復号し、Ｋｗと視聴許可されたＥＳを取得して保持するＫｗ復号手段と、前記復号したＫｗを用いてＥＣＭの暗号化部を復号し、ＫｓとＥＳの識別情報を取得して保持するＫｓ復号手段と、前記視聴許可されたＥＳと前記ＥＳの識別情報を相互照合し、視聴してもよいＥＳを判定する視聴許可判定手段と、を備えるデータ受信装置を提供する。
【００１３】
上記視聴許可されたＥＳは、集合化されていてもよい。
【００１４】
本発明はまた、上述のデータ送信装置と上述のデータ受信装置とを備えた限定受信システムを提供する。
【００１５】
本発明はまた、トランスポートストリーム（ＴＳ）パケット構成の複数のデータエレメント（ＥＳ）からなるプログラムデータを多重化して伝送するデータ送信装置において、ＥＳを暗号化する第１の暗号化に必要となるスクランブル鍵（Ｋｓ）を生成するＫｓ生成ステップと、前記Ｋｓおよび各ＥＳの識別を伝送する共通ＣＡ関連情報（ＥＣＭ）生成ステップと、前記ＥＣＭを暗号化する第２の暗号化に必要となるワーク鍵（Ｋｗ）を生成するＫｗ生成ステップと、前記Ｋｗおよび視聴許可されたＥＳを各視聴者（受信機）毎に伝送する個別ＣＡ関連情報（ＥＭＭ）生成ステップと、ＥＭＭを搬送するＴＳの識別子（ＰＩＤ）とＥＳ毎にＥＣＭを搬送するＰＩＤを指示するプログラムマップテーブル（ＰＭＴ）生成ステップと、を処理することを特徴とするデータ送信方法を提供する。
【００１６】
本発明の一実施態様では、前記個別ＣＡ関連情報（ＥＭＭ）生成ステップにおいて、前記視聴許可されたＥＳは集合化される。
【００１７】
本発明の一実施態様において、前記Ｋｗ生成ステップは、前記ＥＣＭを暗号化する第２の暗号化に必要となるＫｗとして、プログラムを構成する複数のＥＳで共通なＫｗを生成するＫｗ生成ステップである。
【００１８】
本発明の一実施態様において、前記Ｋｗ生成ステップは、定期的に使用するＫｗを更新するＫｗ生成ステップである。
【００１９】
本発明はまた、多重化されたトランスポートストリーム（ＴＳ）パケット構成の複数のデータエレメント（ＥＳ）からなるプログラムデータをデマルチプレクスして復号するデータ受信装置において、前記ＰＭＴを用いて受信すべきプログラムデータ、ＥＭＭおよびＥＣＭを取得する分離ステップと、各受信機が予め保持するマスタ鍵（Ｋｍ）を用いてＥＭＭの暗号化部を復号し、Ｋｗと視聴許可されたＥＳを取得して保持するＫｗ復号ステップと、前記復号したＫｗを用いてＥＣＭの暗号化部を復号し、ＫｓとＥＳの識別情報を取得して保持するＫｓ復号ステップと、前記視聴許可されたＥＳと前記ＥＳの識別情報を相互照合し、視聴してもよいＥＳを判定する視聴許可判定ステップと、を処理することを特徴とするデータ受信方法を提供する。
【００２０】
本発明はまた、上述のデータ送信方法を実行するためのプログラムを提供する。
【００２１】
本発明はまた、上述のデータ受信方法を実行するためのプログラムを提供する。
【００２２】
本発明はまた、上述のプログラムを記録した記録媒体を提供する。
【００２３】
【発明の実施の形態】
以下に本発明の実施の形態について図を用いて詳細に説明する。尚、本発明はこれら実施の形態に何等限定されるものではなく、その要旨を逸脱しない範囲において種々なる態様で実施し得る。また、本発明のデータ送信プログラムを記録した記憶媒体およびデータ受信プログラムを記録した記憶媒体では、以下の実施の形態で述べる各処理部をすべてソフトウェアで実現可能であることから、その説明を省略する。
【００２４】
（実施の形態１）
各受信機が視聴してもよいＥＳの集合を視聴許可ＥＳリストとしてＫｗとともにＥＭＭで伝送し、また各ＥＳの暗号化を解く鍵であるＫｓを伝送する際に、前記視聴許可ＥＳリストにおける各ＥＳの識別を示すＥＳ識別情報をＫｓとともにＥＣＭで伝送することにより、ＥＳ単位での視聴制御を実現するデータ送信装置およびデータ受信装置の一実施の形態について図を用いて説明する。
【００２５】
図１は本発明の実施の形態１におけるデータ送信装置およびデータ受信装置の機能ブロック図である。１１０はデータ送信装置である。データ送信装置１１０は、プログラム編成に応じて各ＥＳの識別情報と視聴許可されたＥＳの集合を生成する視聴許可情報生成部１１４と、データ入力に対してスクランブル鍵（Ｋｓ）を用いて暗号化処理を施すデータ暗号化部１１１と、ワーク鍵（Ｋｗ）を用いてＫｓと前記ＥＳ識別情報を暗号化して、共通ＣＡ関連情報（Ｅｎｔｉｔｌｅｍｅｎｔ  Ｃｏｎｔｒｏｌ  Ｍｅｓｓａｇｅ：ＥＣＭ）として出力するＫｓ暗号化部１１２と、マスタ鍵（Ｋｍ）を用いてＫｗと前記視聴許可ＥＳリストを暗号化して、個別ＣＡ関連情報（Ｅｎｔｉｔｌｅｍｅｎｔ  Ｍａｎａｇｅｍｅｎｔ  Ｍｅｓｓａｇｅ：ＥＭＭ）として出力するＫｗ暗号化部１１３と、前記暗号化処理データと前記ＥＣＭと前記ＥＭＭを多重する多重部１１５で構成される。この多重化出力は、デジタル回線により受信側１２０に伝送される。尚、Ｋｗ暗号化部１１３に入力されるＫｗは同一プログラム内で時間重複する複数のＥＳで同じＫｗを使用することも可能である。これにより各受信機に対するＥＭＭの伝送数を減らすことができる。また、Ｋｗ暗号化部１１３に入力されるＫｗを定期的に更新することも可能である。これにより長時間に渡るＥＳの伝送時にも秘匿性を確保することができる。
【００２６】
１２０はデータ受信装置である。データ受信装置１２０は、前記多重化データから暗号化データ、ＥＣＭおよびＥＭを分離して取り出す分離部１２１と、受信機内部に保持しているＫｍを用いてＥＭＭを復号化し、Ｋｗと視聴許可ＥＳリストを保持するＫｗ復号化部１２２と、前記Ｋｗを用いてＥＣＭを復号化し、ＫｓとＥＳ識別情報を保持するＫｓ復号化部１２３と、前記視聴許可ＥＳリストと前記ＥＳ識別情報を相互ビット照合することにより、視聴してもよいＥＳを判定する視聴許可判定部１２４と、前記Ｋｓを用いて暗号化データを復号化して出力するデータ復号化部１２５で構成される。
【００２７】
視聴許可情報生成部１１４について図２を用いて説明する。１００チャンネルでＥＳ１〜ＥＳ９のプログラムが編成されており、各ＥＳにはそれぞれの視聴を許可する受信機が定義されている。例えば、ＥＳ１は受信機Ａと受信機Ｂに視聴許可されている。このプログラム編成に対して、視聴許可生成部１１４は、ＥＳ識別情報と視聴許可ＥＳリストの２つの情報を生成する。ＥＳ識別情報は、各ＥＳの識別を示す情報であり、ＥＳ識別ブロック番号とＥＳ識別ビット列で構成される。各ＥＳは前記ＥＳ識別ビット列のうち１ビットを利用して自身を一意に識別する。例えば、ＥＳ２のＥＳ識別情報は、ＥＳ識別ブロック番号を０、ＥＳ識別ビット列を０１００００００で、ＥＳ９のＥＳ識別情報は、ＥＳ識別ブロック番号を１、ＥＳ識別ビット列を１０００００００で表現する。また、視聴許可ＥＳリストは、各受信機に対して視聴許可されたＥＳの集合を示す情報であり、視聴許可ＥＳ定義ビット列を含む視聴許可ＥＳ定義ブロックの集合で構成され、前記ＥＳ識別情報に対して、視聴許可する場合はビットを立て、視聴許可しない場合はビットを立てない、という形で、各視聴者（受信機）ごとに、視聴許可されたＥＳのリストを作成する。例えば、受信機Ａ宛ての視聴許可ＥＳリストは、視聴許可ＥＳ定義ブロック０の視聴許可ＥＳ定義ビット列を１１００１１００、視聴許可ＥＳ定義ブロック１の視聴許可ＥＳ定義ビット列を００００００００で、受信機Ｂ宛ての視聴許可ＥＳリストは、視聴許可ＥＳ定義ブロック０の視聴許可ＥＳ定義ビット列を１０１１１０１１、視聴許可ＥＳ定義ブロック１の視聴許可ＥＳ定義ビット列を１０００００００で表現する。
【００２８】
Ｋｓ暗号化部１１２では、Ｋｓと前記ＥＳ識別情報をＥＣＭに格納して出力する。ＥＣＭのデータフォーマットの例を図３に示す。Ｋｗ暗号化部１１３では、Ｋｗと前記視聴許可ＥＳリストをＥＭＭに格納して出力する。ＥＭＭのデータフォーマットの例を図４に示す。
【００２９】
次に、視聴許可判定部１２４について図５を用いて説明する。受信機は分離部１２１より伝送されたＥＭＭを復号し（Ｓ５０１）、復号されたＥＭＭよりＫｗと視聴制御ＥＳリストを取り出して保持する（Ｓ５０２）。次に、受信機は、分離部１２１より伝送されたＥＣＭを復号し（Ｓ５０３）、復号されたＥＣＭよりＫｓとＥＳ識別情報を取り出す（Ｓ５０４）。前記保持した視聴制御ＥＳリストと前記取り出したＥＳ識別情報を照合し、ＥＳ識別情報で示されるＥＳ識別ブロック番号およびＥＳ識別ビットが、視聴許可ＥＳリストにおける視聴許可ＥＳ定義ビット列のビットが立っているものと一致した場合のみ、そのＥＳを視聴可能として、Ｋｓをデータ復号化部１２５に供給する。
【００３０】
以上のように本実施の形態では、送信側で、視聴許可するＥＳの集合を定義した視聴許可ＥＳリストをＥＭＭに格納して各受信機に対して伝送し、また、ＥＳの識別を示すＥＳ識別情報をＥＣＭに格納して伝送し、受信機側では、前記視聴許可ＥＳリストと前記ＥＳ識別情報を相互照合することにより、暗号鍵（ＫｗあるいはＫｓ）をＥＳ単位に用意する必要なく、ＥＳ単位の視聴制御を可能とする限定受信を実現した。また、同一プログラムにおける複数のＥＳで共通のＫｗを使用することによりＥＳのＥＭＭ送出帯域を抑制した。
【００３１】
【発明の効果】
本発明によれば、視聴者がプログラムを構成するデータエレメントのうち必要なデータエレメントのみを受信できる、つまり、データエレメント毎にスクランブルをかけることができる。
【００３２】
また、本発明は、視聴許可されたＥＳの集合をＫｗとともに伝送するＥＭＭを生成し、また、ＥＳ毎に自身を識別する情報をＫｓとともに伝送するＥＣＭを生成し、前記ＥＭＭと前記ＥＣＭを暗号化されたデータとともに多重化して伝送するデータ送信装置を考案した。これにより、ＥＳ単位での視聴制御が実現できる。また、同一プログラム内の複数のＥＳを同時に視聴許可された受信機に対して、ＥＭＭを各々に配信する必要をなくすことにより、ＥＭＭの送出帯域の増加を抑制するという効果を奏するものである。
【００３３】
次に、本発明はＥＭＭより取得した視聴許可されたＥＳ（またはＥＳの集合）と、ＥＣＭより取得したＥＳ識別情報を照合し、視聴許可されたＥＳである場合のみＫｓを用いてデータを復号するデータ受信装置を考案した。これにより、ＥＳ単位での視聴制御が実現できる。また、同一プログラム内の複数のＥＳを同時に視聴許可された受信機に対して、ＥＭＭを各々に配信する必要をなくすことにより、Ｋｗ格納領域の必要量を抑制するという効果を奏するものである。
【図面の簡単な説明】
【図１】本発明に係るデータ送信装置およびデータ受信装置の適用例である限定受信システムのブロック図
【図２】視聴許可情報生成部におけるＥＳ識別情報および視聴許可ＥＳリストの生成方法の説明図であり、プログラム編成例および前記プログラム編成に対するＥＳ識別情報と視聴許可ＥＳリストの例を示す図
【図３】Ｋｓ暗号化部において作成されるＥＣＭのデータフォーマットを示す図
【図４】Ｋｗ暗号化部において作成されるＥＭＭのデータフォーマットを示す図
【図５】視聴許可判定部における視聴許可判定シーケンス図
【図６】従来の限定受信システムのブロック図
【符号の説明】
１１０  データ送信装置
１１１  データ暗号化部
１１２  Ｋｓ暗号化部
１１３  Ｋｗ暗号化部
１１４  視聴許可情報生成部
１１５  多重部
１２０  データ受信装置
１２１  分離部
１２２  Ｋｗ復号化部
１２３  Ｋｓ復号化部
１２４  視聴許可判定部
１２５  データ復号化部
６１０  データ送信装置
６１１  データ暗号化部
６１２  多重部
６１３  Ｋｓ暗号化部
６１４  Ｋｗ暗号化部
６２０  データ受信装置
６２１  分離部
６２２  Ｋｗ復号化部
６２３  Ｋｓ復号化部
６２４  データ復号化部
【図１】
2004357171.tif 000003
【図２】
2004357171.tif 000004
【図３】
2004357171.tif 000005
【図４】
2004357171.tif 000006
【図５】
2004357171.tif 000007
【図６】
2004357171.tif 000008